(57)【要約】【課題】組立と解体が容易にできる防音壁の提供。【解決手段】鉄筋建築物の床面と天井板に組立てと解体が可能な防火、盗難防止用防音壁を取付けるのに必要な所定ホールを設け、建築物の主体構造の完成後、標準化、モジュ−ル化された組立。解体可能な防火、盗難防止用の防音壁を一定の据付け手順に沿って現場で組み立てる。組立てと解体が可能な防火、盗難防止用防音壁は、その水平断面図２に示すように内支えフレーム１８と断熱防音ボード１９、２０の間の空間２５，２６により防音機能を持ち、断熱防音ボードを通して防火と防音機能を備え、内支えフレーム１８は両端コの字型断面の亜鉛メッキ鋼鈑を採用するとともにこれらの鋼板を交互に反転して配置してボルトナットにて接合して据付けることにより、両面から同時に解体する必要があるため、盗難防止機能を備えている。【選択図】　　　　図２
2004108071.tif 000002
【特許請求の範囲】
【請求項１】
鉄筋建築物または一般ＲＣ建築の床面および天井板に底部所定ホール、上部所定ホールを予め設置し、或いは一般ＲＣ建築であれば、膨張ねじ方式を採用して床面と天井板の所定据付け位置に底部取付けホール、上部取付けホールをうがち、ガスケットを配設してねじとねじで底部大コの字型鋼、底部小コの字型鋼、上部大コの字型鋼、上部小コの字型鋼、内支えフレーム亜鉛メッキ鋼鈑、左側断熱防音ボード、右側断熱防音ボードを固定してなり、
前記ガスケットは、一対のねじによって前記底部大コの字型鋼、上部大コの字型鋼を鉄筋建築物の床面と天井板に予め設置した底部所定ホール、上部所定ホールに固定する前に、或いは一般ＲＣ建築の場合は床面と天井板の底部取付けホール、上部取付けホールに固定する前に、部材間の相互摩擦を防ぎ、微小誤差のある空間を埋めるとともに、前記底部大コの字型鋼、上部大コの字型鋼の水平高さを微調節するために用い、
前記ガスケットは底部小コの字型鋼と上部小コの字型鋼と内支えフレーム亜鉛メッキ鋼板との間に置かれ、部材間の相互摩擦を防ぎ、微小誤差のある空間を埋めるのに用い、
前記ガスケットは断面Ｃ型の亜鉛メッキ鋼鈑の２つずつの接触箇所に配設され、部材間の相互摩擦を防ぎ、微小誤差のある空間を埋め、気密性を高めるのに用い、
前記底部大コの字型鋼は、上向きに開口させる方式で、ねじを用いて前記鉄筋建築物または一般ＲＣ建築の床面の底部所定ホールまたは底部取付けホール内に固定され、
前記底部小コの字型鋼は、下向きに開口させる方式で前記底部大コの字型鋼内に嵌め込まれ、
前記上部大コの字型鋼は、下向きに開口させる方式で、ねじを用いて前記鉄筋建築物または一般ＲＣ建築の天井板の上部所定ホールまたは上部取付けホール内に固定され、
前記上部小コの字型鋼は、上向きに開口させる方式で前記上部大コの字型鋼内に嵌め込まれ、
前記内支えフレーム亜鉛メッキ鋼鈑は、３０センチ幅のＣ型亜鉛メッキ鋼鈑を１ユニットとして開口を外側に向け、２つずつを相互にずらしてボルトで固定し、断面Ｃ型の亜鉛メッキ鋼鈑の接触箇所にガスケットを配設することにより気密性を高め、また相互の摩擦を少なくするとともに、両側に小コの字型とコの字型の亜鉛メッキ鋼鈑を配してボルトで前記Ｃ型亜鉛メッキ鋼鈑に固定しており、該亜鉛メッキ鋼板を相互にずらしてボルトを一つおきに反対向きにする方式で固定して両面から同時にでなければ解体できないようにし、前記Ｃ型亜鉛メッキ鋼鈑の両側にはそれぞれ配線のための所定ホールが穿設され、
前記左側断熱防音ボードは、前記底部大コの字型鋼と上部大コの字型鋼の左の外側に据付けられて、ねじで前記内支えフレーム亜鉛メッキ鋼鈑に固定され、
前記右側断熱防音ボードは、前記底部大コの字型鋼と上部大コの字型鋼の右の外側に据付けられて、ねじで前記内支えフレーム亜鉛メッキ鋼鈑に固定されている組立てと解体が可能な防音壁。
【請求項２】
（１）鉄筋建築物または一般ＲＣ建築の床面と天井板に、実際に必要な寸法に合わせて前もって底部所定ホール、上部所定ホールを設置しておき、或いは一般ＲＣ建築であれば膨張ねじ方式を採用して、所定据付け位置にある床面と天井板に実際に必要な寸法に合わせて底部取付けホール、上部取付けホールをうがち、建築物の主体構造が完成したのちに、（２）鉄筋建築物または一般ＲＣ建築の床面に予め設置した底部所定ホールまたは底部取付けホールの上に底部大コの字型鋼を設置し、（３）底部大コの字型鋼をねじで仮固定してから、一対のねじで前記底部大コの字型鋼の水平高さを調節し、続けて前記鉄筋建築物または一般ＲＣ建築の床面の底部所定ホールまたは底部取付けホールの左右両側の適所にそれぞれガスケットを配設して、最後に前記底部大コの字型鋼を、ねじで前記鉄筋建築物または一般ＲＣ建築の床面の底部所定ホールまたは底部取付けホール内に固定し、（４）底部小コの字型鋼を前記底部大コの字型鋼内に嵌め込んでから、一対のボルトで底部小コの字型鋼の水平高さを調節し、（５）前記鉄筋建築物または一般ＲＣ建築の天井板に予め設置した上部所定ホールまたは上部取付けホールの下に上部大コの字型鋼を設置し、（６）前記上部大コの字型鋼をまずねじで仮固定してから、一対のねじで前記上部大コの字型鋼の水平高さを調節し、続けて前記鉄筋建築物または一般ＲＣ建築の天井板の上部所定ホールまたは上部取付けホールの左右両側の適所にそれぞれガスケットを設置して、最後に前記上部大コの字型鋼を、ねじで前記鉄筋建築物または一般ＲＣ建築の天井板の上部所定ホールまたは底部取付けホール内に固定し、（７）上部小コの字型鋼を内支えフレーム亜鉛メッキ鋼鈑に据付けるときには、前記上部大コの字型鋼内に嵌め込んでから、一対のボルトで前記上部小コの字型鋼の水平高さを調節し、（８）前記底部大コの字型鋼と底部小コの字型鋼、上部大コの字型鋼の据付けおよび微調節作業を終えて、前記底部大コの字型鋼と底部小コの字型鋼、上部大コの字型鋼の水平高さに誤差の無いことを確認したのちに、続けて前記内支えフレーム亜鉛メッキ鋼鈑を据付け、（９）前記底部小コの字型鋼の上方と上部小コの字型鋼の下方の全位置にそれぞれ前記ガスケットを設置して、前記内支えフレーム亜鉛メッキ鋼鈑を直立状態で前記ガスケットの間に据付け、さらに内支えフレーム亜鉛メッキ鋼鈑と壁面との間に大コの字型とコの字型の亜鉛メッキ鋼板を据付け、前記内支えフレーム亜鉛メッキ鋼鈑は、前記底部小コの字型鋼に一対のボルトを配置して上向きに張る力を利用し、また上部小コの字型鋼に一対のボルトを配置して下向きに張る力を利用して、前記底部大コの字型鋼４および前記上部大コの字型鋼の内側に固定し、（１０）前記底部大コの字型鋼と上部大コの字型鋼の両辺の外側に、それぞれ前記左側断熱防音ボードと右側断熱防音ボードをねじで前記内支えフレーム亜鉛メッキ鋼鈑上に固定し、（１１）左側断熱防音ボード、左側断熱防音ボードとＣ型亜鉛メッキ鋼鈑が形成する空間、内支えフレーム亜鉛メッキ鋼鈑、Ｃ型亜鉛メッキ鋼鈑と右側断熱防音ボードが形成する空間および右側断熱防音ボードを組立てて、音声の回折を遮断して音を隔絶させ、前記空間と空間に吸音材質を据付けることにより、より好ましい防音効果のある組立てと解体が可能な防音壁を構成する、ステップを有する組立てと解体が可能な防音壁の据え付け方法。
【発明の詳細な説明】
【０００１】
【発明の属する技術分野】
本発明は、組立てと解体が可能な防音壁およびその据付方法に係るもので、特に鉄筋建築物の床面と天井板に予めホールを設けておき、組立てと解体が可能な防音壁を据付け、一般のＲＣ（強化コンクリート）建築の場合には膨張ねじを用いて床面と天井板の所定据付位置に取付けホールを穿ち、建築物の主体構造が完成したのちに、所定の据付手順に沿って現場で標準化、モジュ−ル化された組立てと解体が可能な防火、盗難防止用の防音壁を据付けてなる該防音壁とその据付方法に関するものである。現場で組立てと解体ができるため運びやすく、また使用者のニーズに応じて組立てまたは解体ができるので室内空間をよりフレキシブルに変更、調整できる。さらにＣ型亜鉛メッキ鋼鈑および内部に形成された空間により音声回折を遮断することで防音機能を持たせ、断熱防音ボードを通して防火と防音機能を持たせている。内支えフレームは亜鉛メッキ鋼鈑を用い、且つ該メッキ鋼板を交互に位置をずらして交互に裏表からボルトで結合する形態で据付けられるため、両面から同時に解体しなければならず、侵入による盗難の防止機能を達成できる。
【０００２】
【従来の技術および発明が解決しようとする課題】
鉄筋建築物または一般ＲＣ建築物における従来の遮断壁では通常、固定型の設計が用いられており、防音の目的は達成できるが、スペースの面で使用者のニーズに応じてフレキシブルに変更、調整できないことが多い。かかる従来の遮断壁は木材、レンガまたはＲＣなどの材質で作られているが、木材では防音および防火の効果が劣り、従来のレンガ壁とＲＣ壁では固定された遮断壁であるためにフレキシブルな変更ができなかった。限られた居住空間をより効率的に変更、調整し、また住まいのセキュリティの質を高めるために、いかにして使用者のニーズに応じて遮断壁をフレキシブルに変更、調整するかが、解決を急ぐべき課題となっていた。
【０００３】
【課題を解決するための手段】
前記課題に鑑み、本発明者は検討、研究を重ね、鉄筋建築物の床面と天井板に予めホールを設置し、若しくは一般ＲＣ建築であれば膨張ねじを用いて床面と天井板の所定の据付け位置に取付けホールをうがち、建築物の主体構造が完成したのちに、所定の据付け手順に沿って、隔壁内部の鋼板を交互に位置をずらして交互に裏表からボルトで締め付ける方法で結合するよう現場で標準化、モジュ−ル化された組立てと解体が可能な防火、盗難防止用の防音壁を据付ければ、防火機能のほか、両面から同時に解体しなければならないので盗難防止機能をも持たせることができ、さらに使用者のニーズに応じて組立てまたは解体して、室内空間をよりフレキシブルに変更、調整できることに気づき、本発明を完成させた。
【０００４】
本発明に関連する組立てと解体が可能な防音壁は、断熱防音ボードと、内支えフレーム亜鉛メッキ鋼鈑と、断熱防音ボードとＣ型亜鉛メッキ鋼鈑との間に形成される空間からなっており、該空間に吸音綿などの吸音材質を取付けることで、より好ましい防音効果を持たせることができる。
【０００５】
本発明に関連する組立てと解体が可能な防火、盗難防止用防音壁は、鉄筋建築物の床面と天井板に底部、上部の所定のホールを予め設置し、一般ＲＣ建築の場合は膨張ねじを用いて床面と天井板の所定据付け位置に底部、上部の取付けホールをうがち、ガスケットを配設してねじ、ボルトを使って底部の大コの字型鋼、底部の小コの字型鋼、上部の大コの字型鋼、上部の小コの字型鋼、内支えフレーム亜鉛メッキ鋼鈑、左側の断熱防音ボード、右側の断熱防音ボードを固定して作製され、
前記底部と上部の所定ホールまたは底部と上部の取付け孔は、ガスケットを配設してねじで底部大コの字型鋼、上部大コの字型鋼を鉄筋建築物または一般ＲＣ建築の床面と天井板に固定するのに用いられ、
前記ガスケットは、ねじで前記底部大コの字型鋼、上部大コの字型鋼を鉄筋建築物の床面と天井板に予め設置した底部と上部の所定ホールに固定する前に、一般ＲＣ建築の場合は床面と天井板の底部、上部の取付け孔に固定する前に、部材間の相互摩擦を防ぎ、微小誤差のある空間を埋めるとともに、前記底部大コの字型鋼と上部大コの字型鋼の水平高さを微調節するために用い、
前記底部大コの字型鋼は、上向きに開口させる方式でねじを用いて前記鉄筋建築物または一般ＲＣ建築の床面の底部所定のホール又は底部取付けホール内に固定され、
前記底部小コの字型鋼は、下向きに開口させる方式で前記底部大コの字型鋼内に嵌め込まれ、前記上部大コの字型鋼は、下向きに開口させる方式で、ねじを用いて前記鉄筋建築物または一般ＲＣ建築の天井板の上部所定ホールまたは上部取付けホール内に固定され、
前記上部小コの字型鋼は、上向きに開口させる方式で前記上部大コの字型鋼内に嵌め込まれ、
前記内支えフレーム亜鉛メッキ鋼鈑は、３０センチ幅の断面Ｃ型の亜鉛メッキ鋼鈑を１ユニットとして開口を外側に向け、２つずつを相互にずらして裏表からボルトで固定し、Ｃ型亜鉛メッキ鋼鈑の接触箇所にガスケットを配設することにより気密性を高め、また相互の摩擦を少なくするとともに、両側に小コの字型とコの字型の亜鉛メッキ鋼鈑を配してボルトで前記Ｃ型亜鉛メッキ鋼鈑に固定しており、前記Ｃ型亜鉛メッキ鋼鈑の両側にはそれぞれ配線のための所定ホールが穿設され、前記内支えフレーム亜鉛メッキ鋼鈑は、直立の方式で前記底部小コの字型鋼と上部小コの字型鋼との間に据付けられ、さらに前記内支えフレーム亜鉛メッキ鋼鈑と壁面との間に大コの字型とコの字型の亜鉛メッキ鋼鈑を据付け、前記内支えフレーム亜鉛メッキ鋼鈑は、前記底部小コの字型鋼にボルトを配設して上向きに張る力を利用して、また上部小コの字型鋼にボルトを配設して下向きに張る力を利用して、前記底部大コの字型鋼および前記上部大コの字型鋼の内側に固定されており、
前記左側断熱防音ボードは、前記底部大コの字型鋼と上部大コの字型鋼の左の外側に据付けられて、ねじで前記内支えフレーム亜鉛メッキ鋼鈑に固定され、
前記右側断熱防音ボードは、前記底部大コの字型鋼と上部大コの字型鋼の右の外側に据付けられて、ねじで前記内支えフレーム亜鉛メッキ鋼鈑に固定されている。
【０００６】
鉄筋建築物の床面と天井板に、実際に必要な寸法および位置に合わせて前もって底部、上部の所定のホールを設置しておき、一般ＲＣ建築の場合は膨張ねじを用いて、床面と天井板の所定の据付け位置に実際に必要な寸法に合わせて底部、上部の取付けホールをうがち、建築物の主体構造が完成したのちに、まず鉄筋建築物または一般ＲＣ建築床面の底部所定ホールまたは底部取付けホールの上方に底部大コの字型鋼を設置して、ねじで仮固定してから、左右のねじで前記底部大コの字型鋼の水平高さを調節し、次いで前記鉄筋建築物または一般ＲＣ建築の床面の底部所定ホールまたは底部取付けホール左右両側の適所にそれぞれガスケットを設置して、最後に前記底部大コの字型鋼をねじで、前記鉄筋建築物または一般ＲＣ建築の床面の底部所定ホールまたは底部取付けホール内に固定する。前記底部小コの字型鋼を前記底部大コの字型鋼内に嵌め込み、ボルトで前記底部小コの字型鋼の水平高さを調節する。前記鉄筋建築物または一般ＲＣ建築の天井板の上部所定ホールまたは上部取付けホールの下方に上部大コの字型鋼を設置して、まずねじで仮固定してから、左右のねじで前記上部大コの字型鋼の水平高さを調節し、次いで前記鉄筋建築物または一般ＲＣ建築の天井板の上部所定ホールまたは上部取付けホール左右両側の適所にそれぞれガスケットを設置して、最後に前記上部大コの字型鋼をねじで、前記鉄筋建築物または一般ＲＣ建築の天井板の上部所定ホールまたは底部取付けホール内に固定する。前記上部小コの字型鋼を内支えフレーム亜鉛メッキ鋼鈑に配設するときには、前記上部大コの字型鋼内に嵌め込んでから、ボルトで前記上部小コの字型鋼の水平高さを調節する。ねじをしっかり締めると同時に、底部大コの字型鋼と上部大コの字型鋼の水平高さをそれぞれガスケットと一致させるようにすれば、その後の内支えフレーム亜鉛メッキ鋼鈑、左側断熱防音ボードおよび右側断熱防音ボードの据付けが容易になる。前記底部の大コの字型鋼と小コの字型鋼、上部大コの字型鋼の据付けおよび微調節作業を終えて、前記底部の大コの字型鋼、小コの字型鋼および上部大コの字型鋼の水平高さに誤差の無いことを確認したのちに、前記内支えフレーム亜鉛メッキ鋼鈑を据付ける。
【０００７】
前記内支えフレーム亜鉛メッキ鋼鈑は、３０センチ幅のＣ型亜鉛メッキ鋼鈑を１ユニットとして開口を外側に向け、２つずつを相互にずらして交互に裏表からボルトで固定し、Ｃ型亜鉛メッキ鋼鈑の接触箇所にガスケットを配設することにより気密性を高め、また相互の摩擦を少なくするとともに、両側に小コの字型とコの字型の亜鉛メッキ鋼鈑を配してボルトで前記Ｃ型亜鉛メッキ鋼鈑に固定しており、相互にずらして交互に裏表からボルト結合する方式で固定しているため、両面から同時に解体しなければならないので侵入防止機能を備えているほか、Ｃ型亜鉛メッキ鋼鈑の両側にはそれぞれ所定ホールが設置されているので、組立てと解体が可能な防音壁に電線を穿設できる。
【０００８】
前記底部小コの字型鋼の上方と上部小コの字型鋼の下方の全位置にそれぞれ前記ガスケットを設置して、前記内支えフレーム亜鉛メッキ鋼鈑を直立方式で前記ガスケットの間に据付け、さらに内支えフレーム亜鉛メッキ鋼鈑と壁面との間に大コの字型とコの字型の亜鉛メッキ鋼板を据付け、前記内支えフレーム亜鉛メッキ鋼鈑は、前記底部小コの字型鋼にボルトを配置して上向きに張る力を利用し、また上部小コの字型鋼にボルトを配置して下向きに張る力を利用して、前記底部大コの字型鋼および前記上部大コの字型鋼の内側に固定している。前記底部大コの字型鋼と上部大コの字型鋼の両辺の外側に、それぞれ前記左側断熱防音ボードと右側断熱防音ボードがねじで前記内支えフレーム亜鉛メッキ鋼鈑上に固定されている。前記左側、右側の断熱防音ボードは炎が広がるのを１時間抑えられる防火効果を備えており、防音では、本発明に関連する組立てと解体が可能な防火、侵入防止用防音壁はそれぞれ左側断熱防音ボード、左側断熱防音ボードとＣ型亜鉛メッキ鋼鈑との空間、内支えフレーム亜鉛メッキ鋼鈑、Ｃ型亜鉛メッキ鋼鈑と右側断熱防音ボードとの空間および右側断熱防音ボードからなり音声の回折を遮断するので、防音効果を達成させ、また前記空間に吸音綿などの吸音材質を据付けることで、より好ましい防音効果を持たせることができ、外からの音声も隔絶できる。
【０００９】
前記ガスケットは、天然ゴムまたはブタジエンゴム、スチレン−ブタジエンゴム、塩化ゴムまたはイソプレンゴムなどの合成ゴムでよい。前記断熱防音ボードは珪酸カルシウム、真珠岩ボード、石膏ボード、岩塩ボード、樹脂強化チップボード、シアヌルアミド樹脂ボード、ポリ塩化ビニル樹脂などでよい。
【００１０】
【発明の実施の形態】
発明の実施の形態を実施例にもとづき図面を参照して説明する。
図１は、本発明に関わる組立てと解体が可能な防音壁の立側面図である。
図２は、図１のＡ‐Ａ線における上面断面図である。
図３は、図２の分解図である。
【００１１】
鉄筋建築物の床面２７と天井板２９に、実際に必要な寸法に合わせて前もって底部所定ホール１、上部所定ホール２を配しておき、一般ＲＣ建築の場合は膨張ねじを用いて、床面２７と天井板２９の所定の据付け位置に実際に必要な寸法に合わせて底部取付けホール１、上部取付けホール２をうがち、建築物の主体構造が完成したのちに、まず鉄筋建築物または一般ＲＣ建築の床面２７に予め設けた底部所定ホールまたは底部取付けホール１の上方に底部大コの字型鋼４を設置して、ねじ５で仮固定してから、一対のねじ６とねじ７で前記底部大コの字型鋼４の水平高さを調節し、次いで前記鉄筋建築物または一般ＲＣ建築の床面２７の底部所定ホールまたは底部取付けホール１の左右両側の適所にそれぞれガスケット３を設置して、最後にねじ５で前記底部大コの字型鋼４を前記鉄筋建築物または一般ＲＣ建築の床面２７の底部所定ホールまたは底部取付けホール１内に固定する。底部小コの字型鋼８を前記底部大コの字型鋼４内に嵌め込んでから、ボルト９とボルト１０で底部小コの字型鋼８の水平高さを調節する。同様に、前記鉄筋建築物または一般ＲＣ建築の天井板２９を予め設けた上部所定ホールまたは上部取付けホール２の下方に上部大コの字型鋼１１を設置して、まずねじ１２で仮固定してから、一対のねじ１３とねじ１４で前記上部大コの字型鋼１１の水平高さを調節し、次いで前記鉄筋建築物または一般ＲＣ建築の天井板２９の上部所定ホールまたは上部取付けホール２の左右両側の適所にそれぞれガスケット３を設置して、最後にねじ１２で前記上部大コの字型鋼１１を前記鉄筋建築物または一般ＲＣ建築の天井板２９に予め設けた上部所定ホールまたは底部取付けホール内２に固定する。上部小コの字型鋼１５を内支えフレーム亜鉛メッキ鋼鈑１８に配設するときには、前記上部大コの字型鋼１１内に嵌め込んでから、一対のボルト１６とボルト１７で前記上部小コの字型鋼１５の水平高さを調節する。前記ガスケット３は摩擦を防ぎ、微小誤差のある空間を埋めるほか、据付けたねじ５、ねじ６、ねじ７、ねじ１２、ねじ１３、ねじ１４をしっかりと締めつけると同時に、前記底部大コの字型鋼４と上部大コの字型鋼１１の水平高さが同じになるように調節すれば、内支えフレーム亜鉛メッキ鋼鈑１８、左側断熱防音ボード１９および右側断熱防音ボード２０の据付けが容易になる。前記底部大コの字型鋼４と底部小コの字の字型鋼８、上部大コの字の字型鋼１１の据付けおよび微調節作業を終えて、前記底部大コの字型鋼４と底部小コの字型鋼８、上部大コの字型鋼１１の水平高さに誤差の無いことを確認したのちに、続けて前記内支えフレーム亜鉛メッキ鋼鈑１８を据付ける。前記内支えフレーム亜鉛メッキ鋼鈑１８は、３０センチ幅のＣ型亜鉛メッキ鋼鈑２１を１ユニットにして開口を外側に向け、２つずつを相互にずらしてボルト２２で固定し、Ｃ型亜鉛メッキ鋼鈑２１の接触箇所にガスケット３１を配設することにより気密性を高め、また相互の摩擦を少なくするとともに、両側に小コの字型とコの字型の亜鉛メッキ鋼鈑２８を配してボルト２２で前記Ｃ型亜鉛メッキ鋼鈑２１に固定しており、位置をずらして交互に裏表からボルトで結合する方式で固定しているために、両面から同時にボルトを外して解体しなければならないので侵入防止機能を備えているほか、前記Ｃ型亜鉛メッキ鋼鈑２１の両側にそれぞれ所定ホール２３を予め設置しているので、組立てと解体が可能な防火、侵入防止用防音壁に電線を配設するのに便利である。前記底部小コの字型鋼８の上方と上部小コの字型鋼１５の下方の全位置にそれぞれ前記ガスケット３０を配設して、前記内支えフレーム亜鉛メッキ鋼鈑１８を直立した状態で前記ガスケット３０の間に据付け、さらに内支えフレーム亜鉛メッキ鋼鈑１８と壁面との間に大コの字型とコの字型の亜鉛メッキ鋼板３２を据付け、前記内支えフレーム亜鉛メッキ鋼鈑１８は前記底部小コの字型鋼８にボルト９とボルト１０を配設して上向きに張る力を利用して、また上部小コの字型鋼１５にボルト１６とボルト１７を配設して下向きに張る力を利用して、前記底部大コの字型鋼４および前記上部大コの字型鋼１１の内側に固定する。前記底部大コの字型鋼４と上部大コの字型鋼１１の両辺の外側に、それぞれ前記左側断熱防音ボード１９と右側断熱防音ボード２０をねじ２４で前記内支えフレーム亜鉛メッキ鋼鈑１８に固定して、左側断熱防音ボード１９、左側断熱防音ボード１９とＣ型亜鉛メッキ鋼鈑２１とが形成する空間２５、内支えフレーム亜鉛メッキ鋼鈑１８、Ｃ型亜鉛メッキ鋼鈑２１と右側断熱防音ボード２０とが形成する空間２６および右側断熱防音ボード２０を組立てる。音声の回折を遮断するので防音効果を備えており、また前記空間２５と空間２６に吸音綿などの吸音材質を据付ければ、より好ましい防音効果のある組立てと解体が可能な防音壁を形成することができる。
【図面の簡単な説明】
【図１】組立てと解体が可能な防音壁の立側面図である。
【図２】図１のＡ‐Ａ線における上面断面図である。
【図３】図２の分解図である。
【符号の説明】
１　鉄筋建築物または一般ＲＣ建築の底部所定ホールまたは底部取付けホール
２　鉄筋建築物または一般ＲＣ建築の上部所定ホールまたは上部取付けホール
３　ガスケット
４　底部大コの字型鋼
５　ねじ
６　ねじ
７　ねじ
８　底部小コの字型鋼
９　ボルト
１０　ボルト
１１　上部大コの字型鋼
１２　ねじ
１３　ねじ
１４　ねじ
１５　上部小コの字型鋼
１６　ボルト
１７　ボルト
１８　内支えフレーム亜鉛メッキ鋼板
１９　左側断熱防音ボード
２０　右側断熱防音ボード
２１　Ｃ型亜鉛メッキ鋼鈑
２２　ボルト
２３　配線用ホール
２４　ねじ
２５　空間
２６　空間
２７　鉄筋建築物または一般ＲＣ建築の床面
２８　小コの字型、コの字型亜鉛メッキ鋼板
２９　鉄筋建築物または一般ＲＣ建築の天井板
３０　ガスケット
３１　ガスケット
３２　大コの字型、コの字型亜鉛メッキ鋼板
【図１】
2004108071.tif 000003
【図２】
2004108071.tif 000004
【図３】
2004108071.tif 000005